(57)【特許請求の範囲】
【請求項１】
略矩形状の板紙からなり、吊下紐を介して吊り下げられる商品陳列用台紙において、
前記板紙の上方に形成される前方山折り線と後方山折り線とを有する折曲部と、該折曲部を介して後方に折曲される折曲領域と、前記前方山折り線の下方に形成される左右一対の表側吊下孔と、組立前の状態では前記折曲部を挟んで前記一対の表側吊下孔と対称に位置して使用状態時に円心が前記一対の表側吊下孔の円心と同一となるように前記折曲領域に配置される一対の裏側吊下孔とを備え、
前記前方山折り線は、前方へ膨出して前記後方山折り線と離隔することを特徴とする、商品陳列用台紙。
【請求項２】
前記前方山折り線と前記後方山折り線は、それぞれの両端で交差し、その交点同士を結ぶ線を対称軸として対称に前方及び後方へ膨出することを特徴とする、請求項１に記載の商品陳列用台紙。
【請求項３】
前記前方山折り線と前記後方山折り線は、前方及び後方へ略円弧状に膨出することを特徴とする、請求項２に記載の商品陳列用台紙。
【請求項４】
前記前方山折り線と前記後方山折り線は、前方及び後方へ略台形状に膨出することを特徴とする、請求項２に記載の商品陳列用台紙。
【発明の詳細な説明】
【技術分野】
【０００１】
本発明は、商品陳列用台紙に関する。
【背景技術】
【０００２】
従来から、小型の家庭用品や事務用品等の陳列の省スペース化を図るために、吊下型の商品陳列用台紙が多数使用されてきた。
【０００３】
上記のような商品陳列用台紙には板紙が用いられてきたが、板紙は、時間が経過するに従って徐々に本来の強度を維持することができなくなるため、吊下孔の周辺部が変形して板紙の上部領域が内側方向に折れ曲がり、商品陳列用台紙の美観を損なうという問題点がある。
【０００４】
このような問題点を解消するために、例えば、特許文献１のように、上部領域を折曲部により折り曲げ、重ね合わせた裏面同士を接着して強度を向上させることが考えられる。かかる構成によれば、重ね合わせのない構成に比べて変形の発生時期を多少なりとも先に引き延ばすことができるが、裏面同士を接着する工程が必要となってコストアップにつながるとともに、板紙の変形そのものを完全に防止して台紙自体の美観を維持するという課題を根本的に解決するには至っていない。
【先行技術文献】
【特許文献】
【０００５】
【特許文献１】特開平５−１２３２３３号公報
【発明の概要】
【発明が解決しようとする課題】
【０００６】
したがって、本発明は、長期間に渡って吊り下げた場合にも、本来の形状を維持して美観を損なうことのない商品陳列用台紙を、手間のかからないように簡易かつ安価に提供することを課題とする。
【課題を解決するための手段】
【０００７】
かかる課題を解決するための手段として、本発明は、略矩形状の板紙からなり、吊下紐を介して吊り下げられる商品陳列用台紙において、前記板紙の上方に形成される前方山折り線と後方山折り線とを有する折曲部と、該折曲部を介して後方に折曲される折曲領域と、前記前方山折り線の下方に形成される左右一対の表側吊下孔と、組立前の状態では前記折曲部を挟んで前記一対の表側吊下孔と対称に位置して使用状態時に円心が前記一対の表側吊下孔の円心と同一となるように前記折曲領域に配置される一対の裏側吊下孔とを備え、前記前方山折り線は、前方へ膨出して前記後方山折り線と離隔する。
【０００８】
前記前方山折り線と前記後方山折り線は、それぞれの両端で交差し、その交点同士を結ぶ線を対称軸として対称に前方及び後方へ膨出するのが好ましい。
【０００９】
前記前方山折り線と前記後方山折り線は、前方及び後方へ略円弧状に膨出するのが好ましい。
【００１０】
前記前方山折り線と前記後方山折り線は、前方及び後方へ略台形状に膨出するのが好ましい。
【発明の効果】
【００１１】
本発明によれば、変形防止に必要とされる吊下孔の周辺部の強度を維持することができ、たとえ陳列した商品を長期間に渡って展示したとしても、吊下孔の周辺部が変形して商品陳列用台紙の美観を損なうことがない。
【００１２】
また、吊下孔の周辺部の強度を補強するために別部材を追加したり、折曲片とこれに対向する部分とを重ね合わせて接着する工程を追加する等の必要がなく、改良に必要とされる最大限のコスト抑制及び構成の簡易化を実現することができる。
【図面の簡単な説明】
【００１３】
【図１】本発明の実施形態に係る商品陳列用台紙の正面図である。
【図２】図１の商品陳列用台紙に吊下金具付きの吊下紐を取り付けた状態の斜視図である。
【図３】図１の商品陳列用台紙の折曲部の変形例を示す部分拡大図である。
【発明を実施するための形態】
【００１４】
以下、本発明に係る商品陳列用台紙１を、添付の図面を参照しながら説明することとする。
【００１５】
図１は、本発明の実施形態に係る商品陳列用台紙１を示している。本実施形態では、商品陳列用台紙１は、短辺を上下、長辺を左右に向けて使用するように縦長の略矩形状に形成したシート状の板紙からなる。
【００１６】
商品陳列用台紙１は、折曲部２と、該折曲部２を介して裏面側に折曲される折曲領域３とを備える。折曲部２は、板紙の上端部４より下方に所定の間隔をあけて形成される。折曲部２は、板紙の上方に形成される前方山折り線８と後方山折り線９とからなる。前方山折り線８と後方山折り線９は、ともに板紙の左右両側の端部５，６の間を延在して左右両側の端部５，６で交差し、その交点同士を結ぶ線を対称軸として前方及び後方へ対称に膨出する。前方山折り線８は、板紙の左右両側の端部５，６の間を略円弧状に湾曲しながら延在して、前方へ膨出する。一方、後方山折り線９は、板紙の左右両側の端部５，６の間を略円弧状に湾曲しながら延在して、後方へ膨出する。前方山折り線８は、左右両側の端部５，６より中央へ向かうに従って後方山折り線９と離隔する。折曲領域３は、後方山折り線９と、該後方山折り線９の両端部より上方に位置する左右両側の端部５，６の一部と、上端部４とで規定される。
【００１７】
商品陳列用台紙１は、左右一対の表側吊下孔１０ａ，１０ｂと、左右一対の裏側吊下孔１１ａ，１１ｂとを備える。各表側吊下孔１０ａ，１０ｂは、円形状に構成され、前方山折り線８の下方に、左右両側の端部５，６から所定の間隔をあけた位置を中心として形成される。また、各裏側吊下孔１１ａ，１１ｂは、前記一対の表側吊下孔１０ａ，１０ｂよりもわずかに大きな円形として構成され、後方山折り線９の上方に、左右両側の端部５，６から所定の間隔をあけた位置を中心として形成される。一対の裏側吊下孔１１ａ，１１ｂは、組立前の状態では折曲部２を挟んで一対の表側吊下孔１０ａ，１０ｂと対称に位置して使用状態時に円心が前記一対の表側吊下孔の円心と同一となるように折曲領域３に配置される。
【００１８】
商品陳列用台紙１は、商品を陳列する商品陳列部を備える。商品陳列部は、一対の表側吊下孔１０ａ，１０ｂから下方に所定の間隔をあけて形成される。本実施形態に係る商品陳列用台紙１では、谷折り線１２とスリット１３とで規定される複数のフック片１４を商品陳列部として構成している。谷折り線１２は、各表側吊下孔１０ａ，１０ｂから下方に所定の間隔あけた位置から等間隔に５つ形成されている。谷折り線１２は、左右両側の端部５，６に沿って平行に延在する。スリット１３は、谷折り線１２の上端部から板紙の右側端部６に向かって延在してから一旦上方へ方向を転換した後、右側端部６に向かって再び延在し、さらに、下端部７に向かって垂直方向に延在してから谷折り線１２の下端部７まで略円弧状に延在する。各フック片１４は、谷折り線１２を介して前方に折り曲げられる。
【００１９】
次に、本実施形態に係る商品陳列用台紙１の使用方法と使用時の作用について説明する。
【００２０】
図２は、本実施形態に係る商品陳列用台紙１に吊下金具１５付きの吊下紐１６を取り付けた状態を示している。商品を陳列する前に、本実施形態に係る商品陳列用台紙１を以下のように吊下可能な状態にしておく必要がある。まず、図２に示すように、前方山折り線８と後方山折り線９を介して、折曲領域３を後方へ折り曲げる。吊下孔の全て１０ａ，１０ｂ，１１ａ，１１ｂに吊下紐１６を挿通してから、吊下紐１６の両端部同士を結んで吊下紐１６を商品陳列用台紙１に取り付ける。
【００２１】
次に、フック片１４の全てを、谷折り線１２を介して前方へ折り曲げ、陳列する商品を各フック片１４に吊り下げる。商品の吊り下げが完了した後、本実施形態に係る商品陳列用台紙１を展示用バーに吊り下げることになるが、この時、図２に示すように、吊下紐１６を表側に引き出して、折曲領域３の折曲状態を維持しながら、吊下紐１６に取り付けた略Ｓ字状の吊下金具１５を展示用バーに引っ掛けて、商品陳列用台紙１を吊り下げた状態にする。
【００２２】
本実施形態では、折曲部２が商品陳列用台紙１の上部領域の形状を前方へ膨出させた状態に維持し続け、吊下孔１０ａ，１０ｂ，１１ａ，１１ｂの周辺部の強度を補強する。その結果、吊下紐１６を介して伝達した力によって、吊下孔１０ａ，１０ｂ，１１ａ，１１ｂの周辺部が変形することがない。これにより、商品陳列用台紙１を吊り下げた状態で長期間に渡って展示したとしても、商品陳列用台紙１の上部領域の左右両側が内側方向に湾曲するようなことがなく、商品陳列用台紙１の美観を損なうことがない。
【００２３】
したがって、本実施形態に係る商品陳列用台紙１によれば、商品陳列用台紙１の美観維持に必要とされる改良について、前方山折り線８と後方山折り線９を介して板紙の一部を後方に折り曲げるだけで、最大限のコスト抑制及び構成の簡易化を実現することができる。
【００２４】
上述の本実施形態においては、折曲部２を構成する前方山折り線８と後方山折り線９を対称形状の略円弧状としているが、前方山折り線８が後方山折り線９と離隔するように前方へ膨出して一対の表側吊下孔１０ａ，１０ｂの周辺部の変形を防止する構成であれば、かかる形状に限定されるものでないことは明らかであり、例えば、以下のような折曲部２の構成を例示することができる。
【００２５】
図３は、折曲部２の構成の変形例を示している。変形例においては、折曲部２の構成を除き、上述の本実施形態に係る商品陳列用台紙１と同様の構成であるので、同一部分については同一の参照符号を付して説明を省略することとする。
【００２６】
まず、１つの目の変形例は、図３（ａ）に示すように、前方山折り線８と後方山折り線９が左右両側の端部５，６で交差し、その交点同士を結ぶ線を対称軸として対称に構成されている点では、上述の本実施形態に係る商品陳列用台紙１と同様であるが、前方山折り線８と後方山折り線９を前方及び後方へ略台形状に膨出させている点で相異するものである。
【００２７】
２つ目の変形例は、図３（ｂ）に示すように、前方山折り線８と後方山折り線９とが交差する２つ交点を内方へ変更して折曲部２の左右両側に一対の直線状山折り線１７ａ，１７ｂを追加した点で、上述の本実施形態に係る商品陳列用台紙１と相異するものである。すなわち、前方山折り線８と後方山折り線９は、各表側吊下孔１０ａ，１０ｂ及び各裏側吊下孔１１ａ，１１ｂの中心と同一直線上にある上方の２点で交差している。相互に交差した前方山折り線８と後方山折り線９の２つの交点から、左右一対の直線状山折り線１７ａ，１７ｂが、左右両側の端部５，６まで上端部４及び下端部７と平行に延在する。
【００２８】
３つ目の変形例は、図３（ｃ）に示すように、前方山折り線８と後方山折り線９の形状が上述の本実施形態に係る商品陳列用台紙１と同様であるが、左右両側の端部５，６で交差しない点で相異するものである。すなわち、前方山折り線８は、後方山折り線９の両端部と離隔した左右両側の端部５，６から前方へ略円弧状に膨出するともに、後方山折り線９は、前方山折り線８の両端部と離隔した左右両側の端部５，６から後方へ略円弧状に膨出している。
【００２９】
４つ目の変形例は、図３（ｄ）に示すように、前方山折り線８の形状が上述の本実施形態に係る商品陳列用台紙１と同様であるが、後方山折り線９の形状が直線状である点で相異するものである。すなわち、前方山折り線８は、左右両側の端部５，６の間を略円弧状に延在して前方へ膨出するとともに、後方山折り線９は、左右両側の端部５，６の間を上端部４及び下端部７と平行に延在して、左右両側の端部５，６で前方山折り線８と交差する。
【符号の説明】
【００３０】
１  商品陳列用台紙
２  折曲部
３  折曲領域
４  上端部
５  左側端部
６  右側端部
７  下端部
８  前方山折り線
９  後方山折り線
１０ａ，１０ｂ  一対の表側吊下孔
１１ａ，１１ｂ  一対の裏側吊下孔
１２  谷折り線
１３  スリット
１４  フック片
１５  吊下金具
１６  吊下紐
１７ａ，１７ｂ  一対の直線状山折り線
【図１】
0005465510.tif 000002
【図２】
0005465510.tif 000003
【図３】
0005465510.tif 000004